【事件の表示】
　特願２００２−１３９４６８「潜像表示媒体」拒絶査定不服審判事件〔平成１５年１１月１９日出願公開、特開２００３−３２６８２３〕について、次のとおり審決する。
【結　論】
　本件審判の請求は、成り立たない。
【理　由】
第１　手続の経緯
　本願は、平成１４年５月１５日の出願であって、平成２０年８月７日に手続補正がなされ、平成２１年１月３０日付けで拒絶査定がなされ、これに対して、同年３月５日に拒絶査定不服審判の請求がなされるとともに、同年４月３日に手続補正がなされたものである。
　
第２　平成２１年４月３日になされた手続補正についての補正却下の決定
〔補正却下の決定の結論〕
　平成２１年４月３日になされた手続補正を却下する。
　
〔理由〕
１　補正の内容
　平成２１年４月３日になされた手続補正（以下「本件補正」という。）は、明細書の特許請求の範囲及び発明の詳細な説明についてするもので、特許請求の範囲の請求項１については、本件補正前に、
　
「媒体基材上に見る角度によって選択反射性を有するコレステリック液晶層を設け、当該液晶層上の一部に、
通常の印刷インキにより、当該コレステリック液晶層を正面から観察した場合に、視認することができない
とあったものを、
　
「媒体基材上に見る角度によって選択反射性を有するコレステリック液晶層を設け、当該液晶層上の一部に、
コレステリック液晶層を正面から観察した時に視認される、コレステリック液晶層の反射光と同系色の、通常の印刷インキによる
と補正するものである（下線は審決で付した。以下同じ。）。
　
２　特許法第１７条の２第３項に規定する要件について
（１）本件補正後の請求項１の「コレステリック液晶層を正面から観察した時に視認される、コレステリック液晶層の反射光と同系色の、通常の印刷インキによる潜像パターン印刷層」との記載において、「コレステリック液晶層を正面から観察した時に視認される、」及び「コレステリック液晶層の反射光と同系色の、」は、その末尾に読点があることから、いずれも「潜像パターン印刷層」に係る語句であると解するのが自然である。
　
（２）上記（１）の「潜像パターン印刷層」に関して、本願の願書に最初に添付した明細書及び図面（以下「当初明細書等」という。）には、以下の事項が記載されている。
　
　ア　「【特許請求の範囲】
　　【請求項１】　媒体基材上に見る角度によって選択反射性を有するコレステリック液晶層を設け、当該液晶層上の一部に、
通常の印刷インキによる潜像パターン印刷層
　　【請求項２】　媒体基材上に、絵柄印刷層を設け、当該絵柄印刷層上に、見る角度によって選択反射性を有するコレステリック液晶層を設け、当該液晶層上の一部に、
通常の印刷インキによる潜像パターン印刷層
　
　イ　「【０００１】
　　【発明の属する技術分野】
　本発明は、虹色の干渉色を呈するコレステリック液晶からなる樹脂（印刷）層上に、
当該コレステリック液晶を正面から観察した時に視認される反射光と同系色のインキを使用して潜像パターンを印刷する
　
　ウ　「【０００６】
  　【課題を解決するための手段】
　上記課題を解決するための本発明の要旨の第１は、媒体基材上に見る角度によって選択反射性を有するコレステリック液晶層を設け、当該液晶層上の一部に、
通常の印刷インキによる潜像パターン印刷層
　　【０００７】
　上記課題を解決するための本発明の要旨の第２は、媒体基材上に、絵柄印刷層を設け、当該絵柄印刷層上に、見る角度によって選択反射性を有するコレステリック液晶層を設け、当該液晶層上の一部に、
通常の印刷インキによる潜像パターン印刷層
　
　エ　「【０００９】
  　【発明の実施の形態】
　本発明は、見る角度によって選択反射性を有し色彩変化を生じるコレステリック液晶層を使用した印刷層または塗工層を設け、当該層上に、
当該コレステリック液晶層を正面から観察した時の色と同系色の通常の印刷インキを使用して潜像パターンの印刷を行う
  【００１０】
　以下、図面等を参照して、本発明の実施形態について説明する。
　図１は、本発明の潜像表示媒体を示す平面図である。図２は、本発明の潜像表示媒体の第１の実施形態、図３は第２の実施形態を示す各断面図である。
　図１は、潜像表示媒体１を商品券に適用した場合であって、図２は、その断面を示している。商品券の一部である媒体基材２上にコレステリック液晶層３を直接設け、当該液晶層３上の一部に、
通常インキによる潜像パターン印刷層４
　【００１１】
　通常の印刷インキによる潜像パターン印刷層４も、前記のように各種の印刷方法や転写法を採用できるものである。
当該潜像パターン印刷層４はコレステリック液晶層３を正面から観察した場合に視認される色と同系色の色料をもって印刷する
　
　オ　「【００１３】
　図３の第２の実施形態の場合は、媒体基材２上に、まず通常インキの絵柄印刷層５を設け、当該絵柄印刷層上にコレステリック液晶層３を設け、当該液晶層３上の一部に、
通常インキの潜像パターン印刷層４
　この場合、絵柄印刷層５を黒色のインキで印刷すると、透過光を吸収し色鮮やかなブルーシフトが確認できる。
　
液晶層上に形成する通常インキの潜像パターン印刷層４は、上記第１の実施形態の場合と同様に、コレステリック液晶層３を正面から観察した時の色と同系色のインキを使用して印刷する
　
　カ　「【００１４】
　本発明の潜像表示媒体は、以上のような簡単な構成であるが、図２のように
光源８に対して所定の角度α１で潜像表示媒体１を観察した場合、通常インキの潜像パターン印刷層４は、コレステリック液晶層３と同系色となって人間の目９では殆どその違いを視認することができない
　　【００１５】
　上記のように、本発明は、コレステリック液晶の選択的反射性を利用するもので、観察角を正面から斜め方向へと大きくしていくと、反射光が短波長側にシフトする（ブルーシフト、例えば赤→緑）。このため、
液晶層上に液晶を正面から観察した場合と同系色で潜像パターンを形成すると（例えば、赤の液晶層上に赤のオフセットインキでパターンを印刷する）、正面からでは判別できなかった
　
　キ　「【００１７】
　　【実施例】
（実施例１）
　白色のポリエチレンテレフタレート（ＰＥＴ）フィルムに、オフセット印刷で黒色の下地印刷を行った。当該印刷層上にコレステリック液晶顔料を使用したインキでシルクスクリーン印刷を行った。この顔料は、正面から観察した場合に、反射光５２０ｎｍの緑色を呈している。当該コレステリック液晶層上に、緑色のインキを使用して、０．１ｍｍ幅の細線からなる潜像パターンをオフセットで印刷した。
　
得られた潜像表示媒体を、正面から観察すると、潜像パターンは背景の液晶色と同化し確認し難い
　　【００１８】
（実施例２）
　白色のポリエチレンテレフタレート（ＰＥＴ）フィルムに、オフセット印刷で黒色の下地印刷を行った。当該印刷層上にコレステリック液晶樹脂をグラビア印刷で直接塗工し、硬化させて厚み約８μｍのコレステリック液晶塗膜層を形成した。当該液晶層は、反射光６２０ｎｍに反射光のピークを有する赤色であるため、液晶層上に、オフセットインキの紅で、０．１ｍｍ幅の細線からなる潜像パターンを印刷した。
　
得られた潜像表示媒体は、正面から観察すると、潜像パターンは背景の液晶色と同化し確認し難い
　
　ク　「【００１９】
　　【発明の効果】
　以上詳しく説明したように本発明によれば以下の効果が得られる。
　
潜像パターンが、コレステリック液晶の正反射色からなる通常の印刷インキで印刷されているので、正面からの観察では潜像パターンの存在を視認することができない
　すなわち、本発明の潜像表示媒体は視野角依存性が高いので、ホログラムを使用しないでも通常の印刷方式により偽造を高度に防止できる。
　コレステリック液晶の旋光性、選択反射性は複写機やスキャナーでの再現は不可能であり、偽造防止効果が高い。」
　
（３）上記（２）から、以下の事項を把握することができる。
　ア　コレステリック液晶層の上に、通常の印刷インキで印刷された潜像パターン印刷層を設けること。
　イ　上記アの潜像パターン印刷層をなす印刷インキの色は、コレステリック液晶層を正面から観察した場合の色と同系色であるので、潜像パターン印刷層を正面から観察すると判別できないこと。
　
（４）上記（３）から、「コレステリック液晶層の反射光と同系色の潜像パターン印刷層」を把握することはできるが、「コレステリック液晶層を正面から観察した時に視認される潜像パターン印刷層」を把握することはできない。
　
（５）上記（４）から、本件補正後の請求項１に記載された「コレステリック液晶層を正面から観察した時に視認される、コレステリック液晶層の反射光と同系色の、通常の印刷インキによる潜像パターン印刷層」との記載事項は、当初明細書等のすべての記載を総合することにより導かれる技術的事項との関係において、新たな技術的事項である。
　したがって、本件補正は、当初明細書等のすべての記載を総合することにより導かれる技術的事項との関係において、新たな技術的事項を導入しないものでないから、当初明細書等に記載した事項の範囲内においてするものでない。
　
（６）以上のとおり、本件補正は、願書に最初に添付した明細書又は図面に記載した事項の範囲内においてするものでないから、平成１８年法律第５５号改正附則第３条第１項によりなお従前の例によるとされる同法による改正前の特許法（以下「旧特許法」という。）第１７条の２第３項の規定に違反するものである。
　
３　特許法第１７条の２第４項に規定する要件について
　請求項１に係る本件補正は、本件補正前の請求項１に記載された「通常の印刷インキにより、当該コレステリック液晶層を正面から観察した場合に、視認することができない潜像パターン印刷層」を、「コレステリック液晶層を正面から観察した時に視認される、コレステリック液晶層の反射光と同系色の、通常の印刷インキによる潜像パターン印刷層」とするものであり、この補正の目的が、旧特許法第１７条の２第４項各号に掲げる請求項の削除、特許請求の範囲の減縮、誤記の訂正及び明りようでない記載の釈明のいずれにも該当しないことは明らかであるから、本件補正は、特許法第１７条の２第４項の規定に違反するものである。
　
　なお、本願の発明の詳細な説明の記載を参酌することとすれば、本件補正後の請求項１の「コレステリック液晶層を正面から観察した時に視認される、コレステリック液晶層の反射光と同系色の、通常の印刷インキによる潜像パターン印刷層」との記載において、「コレステリック液晶層を正面から観察した時に視認される、」が「反射光」に係る語句であると解することもでき、そう解することとすれば、請求項１に係る本件補正は、旧特許法第１７条の２第４項第２号に掲げる特許請求の範囲の減縮を目的とするものと解することができる。
　そこで、念のため、本件補正が、旧特許法第１７条の２第４項第２号に掲げる特許請求の範囲の減縮を目的とするものであるとした場合に、本件補正後の請求項１に係る発明（以下「本願補正発明」という。）が特許出願の際独立して特許を受けることができるものであるか（旧特許法第１７条の２第５項において準用する同法第１２６条第５項の規定に適合するか）について以下検討する。
　
４　独立特許要件について
（１）刊行物の記載事項
　本願の出願前に頒布された刊行物である特開２００１−３０６６７号公報（以下「引用例」という。）には、図とともに次の事項が記載されている。
　
　ア　「【請求項２】  
カード基材と
前記カード基材の所定領域に形成され、ある角度から見たときと、別の角度から見たときとで、異なる色を呈する色変化印刷層と
前記色変化印刷層の所定領域に形成され、ある角度から見ると、背景の色に馴染んで目立たず、別の角度から見ると、浮き出て見える所定の偽造判別パターンを表示する偽造判別表示層と
前記色変化印刷層の所定領域に形成され、白色光による画像再生が可能な光回折パターン層と、
前記光回折パターン層及び前記カード基材にまたがって形成され、その光回折パターン層が貼り替えられることを防止する偽造防止層と
を備える偽造防止カード
…（略）…
【請求項８】　
請求項１
に記載の偽造防止カードにおいて
前記色変化印刷層は、前記カード基材の全面に形成され
　
　イ　「【００１５】
【発明の実施の形態】以下、図面等を参照して、本発明の実施の形態について、さらに詳しく説明する。
（第１実施形態）図１は、本発明による偽造防止カードの第１実施形態を示す図である。図中、（Ａ）は平面図、（Ｂ）は（Ａ）のＢ−Ｂ断面図、（Ｃ）は（Ａ）のＣ部拡大図である。
偽造防止カード１０は、カード基材１１と、色変化印刷層１２と、
偽造判別表示層１５と
を備える
…（略）…
【００１８】
色変化印刷層１２は、見る角度によって色が変化する顔料を含むインキで塗布された層
　
  ウ　「【００２２】偽造判別表示層１５は、カード基材１１とほぼ同じ色の網点、砂目、彩紋や会社のロゴマークなどをデザインした地紋パターンを表示する層であり、アンカー層１３に設けられている（図Ｃ参照）。
偽造判別表示層１５は、オフセット印刷で形成
偽造判別表示層１５は、ある角度から見ると、色変化印刷層１２が射出する基材反射光に馴染んでしまって、見分けることができないが、別の角度から見ると、色変化印刷層１２が射出する顔料反射光と異なる色のため、浮き出して見える
　
　エ　「【００４０】（変形形態）以上説明した実施形態に限定されることなく、種々の変形や変更が可能であって、それらも本発明の均等の範囲内である。例えば、カード基材１１自体を白以外の色に着色しておいてもよい。その場合は、偽造判別表示層１５も同様の色にすることで、同様の効果が得られる。色変化印刷層１２の顔料選択によって、カード基材１１が着色されて見えるときも同様である。また、
色変化印刷層１２は、コレステリック液晶顔料
を含むインキで形成しても、同様の効果を得ることができる
　
　オ　摘記アないしエから、引用例には、次の発明（以下「引用発明」という。）が記載されていると認められる。
　
「カード基材と、
　前記カード基材の全面にコレステリック液晶顔料を含むインキで形成され、ある角度から見たときと、別の角度から見たときとで、異なる色を呈する色変化印刷層と、
　前記色変化印刷層の所定領域にオフセット印刷で形成され、ある角度から見ると、背景の色に馴染んで見分けることができず、別の角度から見ると、浮き出て見える所定の偽造判別パターンを表示する偽造判別表示層とを備える偽造防止カード。」
　
（２）対比
　本願補正発明と引用発明とを対比する。
　ア　引用発明の「カード基材」は、本願補正発明の「媒体基材」に相当する。
　
　イ　引用発明の「色変化印刷層」は、「媒体基材（カード基材）」の全面にコレステリック液晶顔料を含むインキで形成され、ある角度から見たときと、別の角度から見たときとで、異なる色を呈するものであるところ、コレステリック液晶は、入射光のうち特定の波長帯域内にある光を強く反射するという選択反射性を有し、かつ、観察する角度によって反射色が変化するものである（特開２００２−６７５０２号公報の「【００１７】〜【００１９】参照。）から、引用発明の「色変化印刷層」は、本願補正発明の「『媒体基材上』に設けられた『見る角度によって選択反射性を有するコレステリック液晶層』」に相当する。
　
　ウ　引用発明の「偽造判別表示層」は、「コレステリック液晶層（色変化印刷層）」の所定領域にオフセット印刷で形成され、ある角度から見ると、背景の色に馴染んで見分けることができず、別の角度から見ると、浮き出て見える所定の偽造判別パターンを表示するものであるところ、前記オフセット印刷に用いるインキは、極めて一般的なものといえ、かつ、前記背景が、「媒体基材（カード基材）」の全面に形成された「コレステリック液晶層」の前記所定領域以外の領域、すなわち、偽造判別表示層が形成されていない領域を指すことは明らかであるから、引用発明の「偽造判別表示層」と本願補正発明の「『当該液晶層上の一部』に設けられた『コレステリック液晶層を正面から観察した時に視認される、コレステリック液晶層の反射光と同系色の、通常の印刷インキによる潜像パターン印刷層』」とは、「『当該液晶層上の一部』に設けられた『コレステリック液晶層を所定方向から観察した時に視認することができない、通常インキによる潜像パターン印刷層』」である点で一致するといえる。
　
　エ　引用発明の「偽造防止カード」は、「潜像パターン印刷層（偽造判別表示層）」を備えるものであるから、本願補正発明の「潜像表示媒体」に相当する。
　
　オ　上記アないしエから、本願補正発明と引用発明とは、
「媒体基材上に見る角度によって選択反射性を有するコレステリック液晶層を設け、当該液晶層上の一部に、コレステリック液晶層を所定方向から観察した時に視認することができない、通常の印刷インキによる潜像パターン印刷層を設けた、潜像表示媒体。」
である点で一致し、次の点で相違する。
　
相違点１：
　本願補正発明では、前記潜像パターン印刷層を視認することができない観察方向が、「正面」であり、かつ、前記潜像パターン印刷層の色が、「コレステリック液晶層の反射光と同系色」であるのに対して、
　引用発明では、前記潜像パターン印刷層の色が、ある角度から見ると、背景の色に馴染んで見分けることができない色である点。
　
（３）判断 
　上記相違点１について検討する。
　ア　引用発明の偽造判別パターンの色は、ある角度から見ると、背景の色に馴染んで見分けることができない色であるところ、どのような角度で見たときに、背景の色に馴染んで見分けることができない色とするかは、当業者が適宜決定すべき設計事項というべきものである。
　
　イ　上記アから、引用発明において、偽造判別パターンの色を、「正面」から見たときに、背景の色に馴染んで見分けることができない色とすることは、当業者が適宜なし得た設計上のことである。
　
　ウ　上記イの「『正面』から見たときの『背景の色』」は、背景をなす「コレステリック液晶層」から垂直方向へ射出された反射光による色であるから、上記イの「正面から見たときに、背景の色に馴染んで見分けることができない色」は、本願補正発明の「コレステリック液晶層の反射光と同系色」に相当する。
　
　エ　上記イ及びウから、引用発明において、上記相違点１に係る本願補正発明の構成となすことは、当業者が適宜なし得た設計上のことである。
　
　オ　効果について
　本願補正発明の奏する効果は、当業者が引用発明の奏する効果から予測できた程度のものである。
　
　カ　まとめ
　したがって、本願補正発明は、当業者が引用例に記載された発明に基づいて容易に発明をすることができたものである。
　
（４）独立特許要件についてのまとめ 
　以上のとおり、本願補正発明は、当業者が引用例に記載された発明に基づいて容易に発明をすることができたものであるから、特許法第２９条第２項の規定により特許出願の際独立して特許を受けることができないものである。
　したがって、本件補正は、旧特許法第１７条の２第５項において準用する同法第１２６条第５項の規定に違反するものである。
　
５　小括
　本件補正は、上記２のとおり、旧特許法第１７条の２第３項の規定に違反するものであり、上記３のとおり、同条第４項の規定に違反するものであり、上記４のとおり、同条第５項において準用する同法第１２６条第５項の規定に違反するものであるから、同法第１５９条第１項において読み替えて準用する同法第５３条第１項の規定により却下すべきものである。
　
第３　本願発明について
１　本願発明
　本件補正は、上記第２のとおり却下されたので、本願の請求項１ないし７に係る発明は、平成２０年８月７日になされた手続補正により補正された明細書及び図面の記載からみて、明細書の特許請求の範囲の請求項１ないし７に記載された事項によってそれぞれ特定されるとおりのものであると認められるところ、その請求項１に係る発明（以下「本願発明」という。）は、上記第２〔理由〕１（１）に本件補正前の請求項１として示したものである。
　
２　引用例
　原査定の拒絶の理由に引用された引用例及びその記載事項は、上記第２〔理由〕４（１）に記載したとおりのものである。
　
３　対比
　本願発明と引用発明とを対比する。
（１）引用発明の「カード基材」は、本願発明の「媒体基材」に相当する。
　
（２）引用発明の「色変化印刷層」は、「媒体基材（カード基材）」の全面にコレステリック液晶顔料を含むインキで形成され、ある角度から見たときと、別の角度から見たときとで、異なる色を呈するものであるところ、コレステリック液晶は、入射光のうち特定の波長帯域内にある光を強く反射するという選択反射性を有し、かつ、観察する角度によって反射色が変化するものである（特開２００２−６７５０２号公報の「【００１７】〜【００１９】参照。）から、引用発明の「色変化印刷層」は、本願発明の「『媒体基材上』に設けられた『見る角度によって選択反射性を有するコレステリック液晶層』」に相当する。
　
（３）引用発明の「偽造判別表示層」は、「コレステリック液晶層（色変化印刷層）」の所定領域にオフセット印刷で形成され、ある角度から見ると、背景の色に馴染んで見分けることができず、別の角度から見ると、浮き出て見える所定の偽造判別パターンを表示するものであるところ、前記オフセット印刷に用いるインキは、極めて一般的なものといえ、かつ、前記背景が、「媒体基材（カード基材）」の全面に形成された「コレステリック液晶層」の前記所定領域以外の領域、すなわち、偽造判別表示層が形成されていない領域を指すことは明らかであるから、引用発明の「偽造判別表示層」と本願発明の「『当該液晶層上の一部』に設けられた『通常の印刷インキにより、当該コレステリック液晶層を正面から観察した場合に、視認することができない潜像パターン印刷層』」とは、「『当該液晶層上の一部』に設けられた『通常の印刷インキにより、当該コレステリック液晶層を所定方向から観察した場合に、視認することができない潜像パターン印刷層』」である点で一致するといえる。
　
（４）引用発明の「偽造防止カード」は、「潜像パターン印刷層（偽造判別表示層）」を備えるものであるから、本願発明の「潜像表示媒体」に相当する。
　
（５）上記（１）ないし（４）から、本願発明と引用発明とは、
「媒体基材上に見る角度によって選択反射性を有するコレステリック液晶層を設け、当該液晶層上の一部に、通常の印刷インキにより、当該コレステリック液晶層を所定方向から観察した場合に、視認することができない潜像パターン印刷層を設けた、潜像表示媒体。」
である点で一致し、次の点で相違する。
　
相違点２：
　前記潜像パターン印刷層を視認することができない観察方向が、本願発明では、「正面」であるのに対して、引用発明では、「ある角度」である点。
　
４　判断 
　上記相違点２について検討する。
（１）上記第２〔理由〕４（３）のとおり、引用発明において、偽造判別パターンの色を、「正面」から見たときに、背景の色に馴染んで見分けることができない色とすることは、当業者が適宜なし得た設計上のことであるから、引用発明において、上記相違点２に係る本願発明の構成となすことも、当業者が適宜なし得た設計上のことである。
　
（２）効果について
　本願発明の奏する効果は、当業者が引用発明の奏する効果から予測できた程度のものである。
　
（３）まとめ
　したがって、本願発明は、当業者が引用例に記載された発明に基づいて容易に発明をすることができたものである。
　
５　むすび
　以上のとおり、本願発明は、当業者が引用例に記載された発明に基づいて容易に発明をすることができたものであるから、特許法第２９条第２項の規定により特許を受けることができない。
　よって、結論のとおり審決する。